(57)【特許請求の範囲】
【請求項１】
鍋を誘導加熱する誘導加熱手段の設定可能な複数の加熱火力レベルの１つを設定する火力調整入力手段と、前記各加熱火力レベルに対して１個あるいは複数個の表示器を表示する表示手段と、報知音を発生する報知手段と、入力電力に基づいて設定された加熱火力レベルに前記誘導加熱手段を制御し、該設定された加熱火力レベルに対応した前記表示器を表示させる制御手段とを備えてなり、
前記火力調整手段による設定可能な加熱火力レベルを含む複数の加熱火力レベルが設定可能で、いずれかの１つを設定する火力微調整入力手段を設けるとともに、該火力微調整手段により設定される複数の加熱火力レベルの表示を、前記火力調整入力手段により設定可能な加熱火力レベルの各表示器にグループ毎に対応させて表示可能とし、制御手段は、火力調整入力手段および火力微調整入力手段により設定された加熱火力レベルと前記入力電力とに基づいて前記誘導加熱手段を制御するとともに、該設定された加熱火力レベルが含まれるグループに対応した前記表示器を表示させるものであり、前記制御手段は、火力調整入力手段、火力微調整入力手段により加熱火力レベルの設定が行われ、その設定により表示器による表示が前回の表示と変化があった場合と無かった場合とで、異なる報知音を前記報知手段から発生させることを特徴とする誘導加熱調理器。
【請求項２】
鍋を誘導加熱する誘導加熱手段の設定可能な複数の加熱温度レベルの１つを設定する温度調整入力手段と、前記複数の加熱温度レベルをいくつかのグループに分割し、該分割された加熱温度レベルのグループに対応して１個あるいは複数個の表示器を表示する表示手段と、報知音を発生する報知手段と、前記鍋の温度を検知する鍋温度検知手段と、該鍋温度検知手段の検知温度に基づいて前記温度調整入力手段により設定された加熱温度レベルに前記誘導加熱手段を制御するとともに、該設定された加熱温度レベルが含まれるグループに対応した前記表示器を表示させる制御手段とを備え、
前記制御手段は、温度調整入力手段により加熱温度レベルの設定が行われ、その設定により表示器による表示が前回の表示と変化があった場合と無かった場合とで、異なる報知音を前記報知手段から発生させることを特徴とする誘導加熱調理器。
【請求項３】
鍋を誘導加熱する誘導加熱手段の設定可能な複数の加熱火力レベルの１つを設定する火力調整入力手段と、前記各加熱火力レベルに対して１個あるいは複数個の表示器を表示する表示手段と、入力電力に基づいて設定された加熱火力レベルに前記誘導加熱手段を制御し、該設定された加熱火力レベルに対応した前記表示器を表示させる制御手段とを備えてなり、
前記火力調整手段による設定可能な加熱火力レベルを含む複数の加熱火力レベルが設定可能で、いずれかの１つを設定する火力微調整入力手段を設けるとともに、該火力微調整手段により設定される複数の加熱火力レベルの表示を、前記火力調整入力手段により設定可能な加熱火力レベルの各表示器にグループ毎に対応させて表示可能とし、制御手段は、火力調整入力手段および火力微調整入力手段により設定された加熱火力レベルと前記入力電力とに基づいて前記誘導加熱手段を制御するとともに、該設定された加熱火力レベルが含まれるグループに対応した前記表示器を表示させるものであり、前記制御手段は、火力調整入力手段、火力微調整入力手段により加熱火力レベルの設定が行われ、かつ表示器による表示が前回の表示と変更がないときに、前記表示器の表示を一定消灯時間消灯させた後、再点灯させることを特徴とする誘導加熱調理器。
【請求項４】
鍋を誘導加熱する誘導加熱手段の設定可能な複数の加熱温度レベルの１つを設定する温度調整入力手段と、前記複数の加熱温度レベルをいくつかのグループに分割し、該分割された加熱温度レベルのグループに対応して１個あるいは複数個の表示器を表示する表示手段と、前記鍋の温度を検知する鍋温度検知手段と、該鍋温度検知手段の検知温度に基づいて前記温度調整入力手段により設定された加熱温度レベルに前記誘導加熱手段を制御するとともに、該設定された加熱温度レベルが含まれるグループに対応した前記表示器を表示させる制御手段とを備え、
前記制御手段は、温度調整入力手段により加熱温度レベルの設定が行われ、かつ表示器による表示が前回の表示と変更がないときに、前記表示器の表示を一定消灯時間消灯させた後、再点灯させることを特徴とする誘導加熱調理器。
【請求項５】
表示手段に、加熱火力レベルまたは加熱温度レベルを数値で表示する数値表示器を設けたことを特徴とする請求項１乃至請求項４のいずれかに記載の誘導加熱調理器。
【請求項６】
表示器を発光素子により構成したことを特徴とする請求項１乃至請求項５のいずれかに記載の誘導加熱調理器。
【発明の詳細な説明】
【０００１】
【発明の属する技術分野】
本発明は、設定された加熱火力レベルあるいは加熱温度レベルを表示手段により表示させる誘導加熱調理器に関するものである。
【０００２】
【従来の技術】
図１６は従来の誘導加熱調理器の要部の構成を示すブロック図、図１７は従来の誘導加熱調理器に係る操作パネルの正面図である。図において、１は誘導加熱調理器の本体（図示せず）に電力を供給する商用交流電源、２は本体内に設けられ本体の上面に載置された鍋（図示せず）を誘導加熱する誘導加熱手段で、商用交流電源１からの交流を全波整流して直流を生成する整流器２ａと、その直流を高周波に変換するインバータ回路のスイッチング素子２ｂと、そのインバータ回路のインバータ駆動手段２ｃと、鍋と磁気結合する加熱コイル２ｄと、共振コンデンサ２ｅとを備えている。３は本体内に設けられ商用交流電源１から誘導加熱手段２に入力される電力を検出する入力電力検出手段である。
【０００３】
４は本体に設けられた操作部７の操作入力手段で、加熱の開始および停止を指示する加熱ＯＮ／ＯＦＦ手段４ａと、誘導加熱手段２（加熱コイル２ｄ）による加熱火力レベルを調整して設定する火力調整入力手段４ｂとを備えており、本体の前面側に設けられた操作パネル８の加熱キー４ａに加熱ＯＮ／ＯＦＦ手段４ａが対応し、操作パネル８の火力強弱キー４ｂに火力調整入力手段４ｂが対応している。５は操作部７の加熱火力表示手段で、操作パネル８に設けられた複数のＬＥＤ５ａに対応しており、操作入力手段４の火力調整入力手段４ｂで調整設定可能な加熱火力レベルの数（例えば３００Ｗ、８００Ｗ、１３００Ｗ、１８００Ｗ、２３００Ｗの５つ）だけＬＥＤ５ａが設けられていて、調整設定された加熱火力レベルのＬＥＤ５ａが点灯される。
【０００４】
６は本体内に設けられた制御手段で、表１に示すように、５つの調整設定可能な加熱火力レベル（３００Ｗ、８００Ｗ、１３００Ｗ、１８００Ｗ、２３００Ｗ）に対応する５つの表示火力（０．３ｋＷ、０．８ｋＷ、１．３ｋＷ、１．８ｋＷ、２．３ｋＷ）のデータ、入力電圧に対応する加熱火力レベルのデータ等が記憶される記憶手段６ａと、記憶手段６ａに記憶されている入力電圧に対応する加熱火力レベルのデータに基づいて入力電力を加熱火力レベルに換算する演算手段６ｂとを有しており、操作入力手段４からの誘導加熱の開始または停止信号および火力調整信号と、入力電力検出手段３からの入力電力とに基づいて、誘導加熱手段２のインバータ駆動手段２ｃを調整設定された加熱火力レベル（加熱出力データ）で制御するとともに、加熱火力表示手段５により調整設定された加熱火力レベルの表示を実行させる。
【０００５】
【表１】
0003978650.tif 000002
【０００６】
次に、この誘導加熱調理器の作用について、図１８のフローチャートを用いて説明する。
まず、誘導加熱調理器の本体の上面に鍋を載置し、本体の前面側に設けられた操作パネル８の加熱キー４ａを押すと、操作部７の操作入力手段４の加熱ＯＮ／ＯＦＦ手段４ａによって誘導加熱ＯＮ状態となり、制御手段６は、誘導加熱調理を開始する。調理最初は加熱火力レベルが調整設定されていないので誘導加熱手段２への加熱出力データは０Ｗであり、自動的に加熱出力データを１３００Ｗに設定して、このデータと入力電力検出手段３による入力電力とに基づいて誘導加熱手段２のインバータ駆動手段２ｃの制御を開始し、加熱コイル２ｄにより誘導加熱を行う。同時に加熱火力表示手段５によって加熱出力データ１３００Ｗに対応する操作パネル８の表示火力１．３ｋＷのＬＥＤ５ａが点灯される。
【０００７】
誘導加熱中、制御手段６は、誘導加熱調理が終了状態であるか、つまり加熱出力データが０Ｗであるかを判定し（Ｓ１）、誘導加熱調理中であれば誘導加熱の停止、つまり加熱キー４ａ（加熱ＯＮ／ＯＦＦ手段４ａ）の押下の有無を判定して（Ｓ２）、入力がない場合は、火力強キー４ｂ、火力弱キー４ｂ（火力調整入力手段４ｂ）の入力があったかを判定する（Ｓ３，Ｓ４）。火力強キー４ｂによる入力があったときは、設定されている加熱出力データが最大火力２３００Ｗであるかを判定し（Ｓ５）、最大火力２３００Ｗであれば加熱出力データを変更させずＬＥＤ５ａの表示も変更させない。また、最大火力２３００Ｗでなければ加熱出力データを５００Ｗ増加させ（Ｓ６）、加熱火力表示手段５により点灯されているＬＥＤ５ａを一旦消灯するとともに（Ｓ９）、増加させた加熱出力データに対応する表示火力のＬＥＤ５ａを点灯させる（Ｓ１０）。
【０００８】
一方、火力弱キー４ｂによる入力があったときは、設定された加熱出力データが最小火力３００Ｗであるかを判定し（Ｓ７）、最小火力３００Ｗであれば加熱出力データを変更させずＬＥＤ５ａの表示も変更させない。また、最小火力３００Ｗでなければ加熱出力データを５００Ｗ減少させ（Ｓ８）、加熱火力表示手段５により点灯されているＬＥＤ５ａを一旦消灯するとともに（Ｓ９）、減少させた加熱出力データに対応する表示火力のＬＥＤ５ａを点灯させる（Ｓ１０）。
【０００９】
ついで、火力強弱キー４ｂ（火力調整入力手段４ｂ）の入力がないとき（Ｓ３，Ｓ４）、あるいは火力強弱キー４ｂ（火力調整入力手段４ｂ）の入力があってそれぞれの処理を行った後（Ｓ５〜Ｓ１０）、制御手段６は、入力電力検出手段３により検出された入力電力を取り込み（Ｓ１１）、設定されている加熱出力データと入力電圧とを比較する（Ｓ１２）。なお、入力電圧は、制御手段６の演算手段６ｂにより加熱火力レベルに換算され、換算結果と加熱出力データとを比較する。そして、入力電圧（換算結果）が加熱出力データより大きい場合はインバータ駆動手段２ｃを火力減に制御し（Ｓ１３）、入力電圧（換算結果）が加熱出力データより小さい場合はインバータ駆動手段２ｃを火力増に制御し（Ｓ１４）、入力電圧（換算結果）と加熱出力データが等しい場合はインバータ駆動手段２ｃを火力変更なく制御し、鍋（被加熱物）を誘導加熱する。
【００１０】
そして、制御手段６は、誘導加熱中であるので（Ｓ１）、加熱キー４ａ（加熱ＯＮ／ＯＦＦ手段４ａ）の押下の有無を判定し（Ｓ２）、入力があった場合は、誘導加熱ＯＦＦ状態となり、誘導加熱手段２の加熱出力データを０Ｗ、つまり誘導加熱停止状態とし（Ｓ１５）、加熱火力表示手段５により点灯されているＬＥＤ５ａを消灯させるとともに（Ｓ１６）、インバータ駆動手段２ｃの制御を停止して（Ｓ１７）、誘導加熱調理を終了させる。
【００１１】
また、誘導加熱調理終了後（Ｓ１）、再び加熱キー４ａ（加熱ＯＮ／ＯＦＦ手段４ａ）が押されると（Ｓ１８）、制御手段６は、加熱出力データを１３００Ｗに設定し（Ｓ１９）、このデータと入力電力検出手段３による入力電力とに基づいて誘導加熱手段２のインバータ駆動手段２ｃの制御を開始して（Ｓ２０）、加熱コイル２ｄにより誘導加熱を行う。同時に加熱火力表示手段５によって加熱出力データ１３００Ｗに対応する操作パネル８の表示火力１．３ｋＷのＬＥＤ５ａが点灯し（Ｓ１０）、鍋（被加熱物）を誘導加熱する（Ｓ１１・・・）。
【００１２】
【発明が解決しようとする課題】
上記のような従来の誘導加熱調理器は、炎が出ないため、出力されている加熱火力レベルを分かりやすくするために、本体の操作パネル８に複数のＬＥＤ５ａを設け、火力調整入力手段４ｂにより設定した加熱火力レベル（加熱出力データ）に基づいてそれに対応したＬＥＤ５ａを点灯させるようにしている。しかしながら、表１に示すように、調整設定される加熱火力レベルは５つであるため、これら以外の所望の加熱火力レベルに誘導加熱手段２を調整できず、最適な誘導加熱調理を行うことができないことがあった。また、この５つの加熱火力レベルに対応してＬＥＤ５ａがそれぞれ設けられているため、設定可能な５つの加熱火力レベル以外の細かい加熱火力レベルの設定を可能にした場合、細かい加熱火力レベルに対応してＬＥＤ５ａを点灯させることができず、またそれに対応してＬＥＤ５ａを増やすと、誘導加熱調理器の本体、特に操作部７および操作パネル８を大型化させてしまうこととなり、コストがかかってしまうという問題があった。
【００１３】
本発明は、上記のような課題を解決するためになされたもので、コストをかけることなく細かい加熱火力レベルおよび加熱温度レベルの調整設定と、それに対応した表示とを行うことのできる使い勝手のよい誘導加熱調理器を提供することを目的としたものである。
【００１４】
【課題を解決するための手段】
本発明に係る誘導加熱調理器は、鍋を誘導加熱する誘導加熱手段の設定可能な複数の加熱火力レベルの１つを設定する火力調整入力手段と、各加熱火力レベルに対して１個あるいは複数個の表示器を表示する表示手段と、報知音を発生する報知手段と、入力電力に基づいて設定された加熱火力レベルに誘導加熱手段を制御し、設定された加熱火力レベルに対応した表示器を表示させる制御手段とを備えてなり、火力調整手段による設定可能な加熱火力レベルを含む複数の加熱火力レベルが設定可能で、いずれかの１つを設定する火力微調整入力手段を設けるとともに、火力微調整手段により設定される複数の加熱火力レベルの表示を、火力調整入力手段により設定可能な加熱火力レベルの各表示器にグループ毎に対応させて表示可能とし、制御手段は、火力調整入力手段および火力微調整入力手段により設定された加熱火力レベルと入力電力とに基づいて誘導加熱手段を制御するとともに、設定された加熱火力レベルが含まれるグループに対応した表示器を表示させるものであり、制御手段は、火力調整入力手段、火力微調整入力手段により加熱火力レベルの設定が行われ、その設定により表示器による表示が前回の表示と変化があった場合と無かった場合とで、異なる報知音を報知手段から発生させるものである。
【００１５】
本発明に係る誘導加熱調理器は、鍋を誘導加熱する誘導加熱手段の設定可能な複数の加熱温度レベルの１つを設定する温度調整入力手段と、複数の加熱温度レベルをいくつかのグループに分割し、分割された加熱温度レベルのグループに対応して１個あるいは複数個の表示器を表示する表示手段と、報知音を発生する報知手段と、鍋の温度を検知する鍋温度検知手段と、鍋温度検知手段の検知温度に基づいて温度調整入力手段により設定された加熱温度レベルに誘導加熱手段を制御するとともに、設定された加熱温度レベルが含まれるグループに対応した表示器を表示させる制御手段とを備え、制御手段は、温度調整入力手段により加熱温度レベルの設定が行われ、その設定により表示器による表示が前回の表示と変化があった場合と無かった場合とで、異なる報知音を報知手段から発生させるものである。
【００１６】
本発明に係る誘導加熱調理器は、鍋を誘導加熱する誘導加熱手段の設定可能な複数の加熱火力レベルの１つを設定する火力調整入力手段と、各加熱火力レベルに対して１個あるいは複数個の表示器を表示する表示手段と、入力電力に基づいて設定された加熱火力レベルに誘導加熱手段を制御し、設定された加熱火力レベルに対応した表示器を表示させる制御手段とを備えてなり、火力調整手段による設定可能な加熱火力レベルを含む複数の加熱火力レベルが設定可能で、いずれかの１つを設定する火力微調整入力手段を設けるとともに、火力微調整手段により設定される複数の加熱火力レベルの表示を、火力調整入力手段により設定可能な加熱火力レベルの各表示器にグループ毎に対応させて表示可能とし、制御手段は、火力調整入力手段および火力微調整入力手段により設定された加熱火力レベルと入力電力とに基づいて誘導加熱手段を制御するとともに、設定された加熱火力レベルが含まれるグループに対応した表示器を表示させるものであり、制御手段は、火力調整入力手段、火力微調整入力手段により加熱火力レベルの設定が行われ、かつ表示器による表示が前回の表示と変更がないときに、表示器の表示を一定消灯時間消灯させた後、再点灯させるものである。
【００１７】
本発明に係る誘導加熱調理器は、  鍋を誘導加熱する誘導加熱手段の設定可能な複数の加熱温度レベルの１つを設定する温度調整入力手段と、複数の加熱温度レベルをいくつかのグループに分割し、分割された加熱温度レベルのグループに対応して１個あるいは複数個の表示器を表示する表示手段と、鍋の温度を検知する鍋温度検知手段と、鍋温度検知手段の検知温度に基づいて温度調整入力手段により設定された加熱温度レベルに誘導加熱手段を制御するとともに、設定された加熱温度レベルが含まれるグループに対応した表示器を表示させる制御手段とを備え、制御手段は、温度調整入力手段により加熱温度レベルの設定が行われ、かつ表示器による表示が前回の表示と変更がないときに、表示器の表示を一定消灯時間消灯させた後、再点灯させるものである。
【００１８】
本発明に係る誘導加熱調理器は、表示手段に、加熱火力レベルまたは加熱温度レベルを数値で表示する数値表示器を設けたものである。
【００１９】
本発明に係る誘導加熱調理器は、表示器を発光素子により構成したものである。
【００２１】
【発明の実施の形態】
実施の形態１．
図１は本発明の実施の形態１の要部の構成を示すブロック図、図２は本発明の実施の形態１に係る操作パネルの正面図である。なお、図１６，１７で説明した従来例と同一部分には同じ符号を付し、説明を省略する。
図において、４ｃは誘導加熱調理器の本体の操作部７の操作入力手段４に設けられた火力微調整入力手段で、本体の前面側に設けられた操作パネル８の加熱火力レベルの微調整強弱キー４ｃに対応しており、微調整強弱キー４ｃを押すことによって、表２に示すように、１００Ｗ〜２５００Ｗの間で所定火力量（例えば１００Ｗ）毎に加熱火力レベルの細かな調整設定が可能である。また、細かく調整設定可能な加熱火力レベルは、所定火力量（例えば５００Ｗ）毎にグループ分けされており、各グループが５つの表示火力（０．３ｋＷ、０．８ｋＷ、１．３ｋＷ、１．８ｋＷ、２．３ｋＷ）にそれぞれ対応していて、加熱火力レベルが調整設定されると、その加熱火力レベルが含まれるグループの表示火力のＬＥＤ５ａが点灯される。
【００２２】
【表２】
0003978650.tif 000003
【００２３】
９は本体に設けられた報知音発生手段で、微調整強弱キー４ｃにより加熱火力レベルが調整設定され、かつＬＥＤ５ａの表示が変更されない場合に報知音を発生して加熱火力レベルの調整設定が行われたことを使用者に知らせる。
【００２４】
次に、このように構成された実施の形態１の作用について、図３および図４のフローチャートを用いて説明する。
まず、誘導加熱調理器の本体の上面に鍋を載置し、本体の前面側に設けられた操作パネル８の加熱キー４ａを押すと、操作部７の操作入力手段４の加熱ＯＮ／ＯＦＦ手段４ａによって誘導加熱ＯＮ状態となり、制御手段６は、誘導加熱調理を開始する。調理最初は加熱火力レベルが調整設定されていないので誘導加熱手段２への加熱出力データは０Ｗであり、自動的に加熱出力データを１３００Ｗに設定して、このデータと入力電力検出手段３による入力電力とに基づいて誘導加熱手段２のインバータ駆動手段２ｃの制御を開始し、加熱コイル２ｄにより誘導加熱を行う。同時に加熱火力表示手段５によって加熱出力データ１３００Ｗが含まれるグループに対応する操作パネル８の表示火力１．３ｋＷのＬＥＤ５ａが点灯される。
【００２５】
誘導加熱中、制御手段６は、誘導加熱調理が終了状態であるか、つまり加熱出力データが０Ｗであるかを判定し（図３のＳ２１）、誘導加熱調理中であれば加熱出力データは０Ｗではないので、誘導加熱の停止、つまり加熱キー４ａ（加熱ＯＮ／ＯＦＦ手段４ａ）の押下の有無を判定する（Ｓ２２）。加熱キー４ａ（加熱ＯＮ／ＯＦＦ手段４ａ）の入力がない場合は、火力強弱キー４ｂ（火力調整入力手段４ｂ）および微調整強弱キー４ｃ（火力微調整入力手段４ｃ）の入力があったかを判定する（Ｓ２３〜Ｓ２６）。火力強キー４ｂによる入力があったときは、設定されている加熱出力データが２０００Ｗを越えているかを判定し（Ｓ２７）、越えていれば加熱出力データを最大火力２５００Ｗに設定し（Ｓ２８）、２０００Ｗ以下であれば加熱出力データを５００Ｗ増加させる（Ｓ２９）。また、火力弱キー４ｂによる入力があったときは、設定されている加熱出力データが６００Ｗ未満であるかを判定し（Ｓ３０）、６００Ｗ未満であれば加熱出力データを最小火力１００Ｗに設定し（Ｓ３１）、６００Ｗ以上であれば加熱出力データを５００Ｗ減少させる（Ｓ３２）。
【００２６】
さらに、微調整強キー４ｂによる入力があったときは、設定されている加熱出力データが２４００Ｗを越えているかを判定し（Ｓ３３）、越えていれば加熱出力データを最大火力２５００Ｗに設定し（Ｓ３４）、２４００Ｗ以下であれば加熱出力データを１００Ｗ増加させる（Ｓ３５）。また、微調整弱キー４ｃによる入力があったときは、設定されている加熱出力データが２００Ｗ未満であるかを判定し（Ｓ３６）、２００Ｗ未満であれば加熱出力データを最小火力１００Ｗを設定し（Ｓ３７）、２００Ｗ以上であれば加熱出力データを１００Ｗ減少させる（Ｓ３８）。
【００２７】
そして、これらの加熱火力レベルの入力（加熱出力データの変更）があった場合は、図４に示すＬＥＤ５ａの点灯状態更新処理を行う（図３のＳ３９および図４のＳ５１〜Ｓ５４）。
つまり、制御手段６は、変更された加熱出力データが含まれるグループがいずれの表示火力のＬＥＤ５ａに対応するかを判定し（図４のＳ５１）、点灯しているＬＥＤ５ａと判定したＬＥＤ５ａとが同一でない場合は、加熱火力表示手段５により点灯されているＬＥＤ５ａを一旦消灯し（Ｓ５２）、変更された加熱出力データが含まれるグループに対応する表示火力のＬＥＤ５ａを点灯させる（Ｓ５３）。また、点灯しているＬＥＤ５ａと判定したＬＥＤとが同一の場合は、点灯しているＬＥＤ５ａの表示を変える必要がないため、報知音発生手段９により報知音を発生させ、ＬＥＤ５ａの表示状態の変化はないが細かい加熱火力レベルの調整が行われたことを報知する。
【００２８】
ついで、火力強弱キー４ｂ（火力調整入力手段４ｂ）および微調整強弱キー４ｃ（火力微調整入力手段４ｃ）の入力がないとき（図３のＳ２３〜Ｓ２６）、あるいは火力強弱キー４ｂ（火力調整入力手段４ｂ）および微調整強弱キー４ｃ（火力微調整入力手段４ｃ）の入力があってそれぞれの処理を行った後（Ｓ２７〜Ｓ３９）、制御手段６は、入力電力検出手段３により検出された入力電力を取り込み（Ｓ４０）、設定されている加熱出力データと入力電圧とを比較する（Ｓ４１）。なお、入力電圧は、制御手段６の演算手段６ｂにより加熱火力レベルに換算され、換算結果と加熱出力データとを比較する。そして、入力電圧（換算結果）が加熱出力データより大きい場合はインバータ駆動手段２ｃを火力減に制御し（Ｓ４２）、入力電圧（換算結果）が加熱出力データより小さい場合はインバータ駆動手段２ｃを火力増に制御し（Ｓ４３）、入力電圧（換算結果）と加熱出力データが等しい場合はインバータ駆動手段２ｃを火力変更なく制御し、鍋（被加熱物）を誘導加熱する。
【００２９】
そして、制御手段６は、誘導加熱中であるので（Ｓ２１）、加熱キー４ａ（加熱ＯＮ／ＯＦＦ手段４ａ）の押下の有無を判定し（Ｓ２２）、押された場合は、誘導加熱ＯＦＦ状態となり、誘導加熱手段２の加熱出力データを０Ｗ、つまり誘導加熱停止状態とし（Ｓ４４）、加熱火力表示手段５により点灯されているＬＥＤ５ａを消灯させるとともに（Ｓ４５）、インバータ駆動手段２ｃの制御を停止して（Ｓ４６）、誘導加熱調理を終了させる。
【００３０】
また、誘導加熱調理終了後（Ｓ２１）、再び加熱キー４ａ（加熱ＯＮ／ＯＦＦ手段４ａ）が押されると（Ｓ４７）、制御手段６は、加熱出力データを１３００Ｗに設定し（Ｓ４８）、このデータと入力電力検出手段３による入力電力とに基づいて誘導加熱手段２のインバータ駆動手段２ｃの制御を開始して（Ｓ４９）、加熱コイル２ｄにより誘導加熱を行う。同時に加熱火力表示手段５によって加熱出力データ１３００Ｗが含まれるグループに対応する操作パネル８の表示火力１．３ｋＷのＬＥＤ５ａが点灯し（Ｓ３９）、鍋（被加熱物）を誘導加熱する（Ｓ４０・・・）。
【００３１】
このように、加熱火力レベルを調整設定する火力調整入力手段４ｂ（火力強弱キー４ｂ）の他に、加熱火力レベルをより細かく調整設定する火力微調整入力手段４ｃ（微調整強弱キー４ｃ）を設け、加熱火力表示手段５により１つのＬＥＤ５ａで複数の加熱火力レベルを点灯表示させるようにしたので、火力微調整入力手段４ｃ（微調整強弱キー４ｃ）により、誘導加熱手段２を所望の加熱火力レベルに細かく調整設定することができ、最適な誘導加熱調理を行うことができる誘導加熱調理器が得られる。また、火力微調整入力手段４ｃにより調整設定される複数の加熱火力レベルも火力調整入力手段４ｂで調整設定される加熱火力レベルに対応するＬＥＤ５ａを用いて点灯表示させることができるため、ＬＥＤ５ａの数を増やしたり操作部７および操作パネル８等を大型化させるおそれがなく、コストアップを防ぐことができる。さらに、１つのＬＥＤ５ａで複数の加熱火力レベルを点灯表示させるようにしたため、加熱火力レベルが変更してもＬＥＤ５ａの点灯状態に変更がない場合があるが、報知音発生手段９により加熱火力レベルが変更したことを報知音で知られるため、使用者は加熱火力レベルの変更を容易に確認することができ、使い勝手のよい誘導加熱調理器を得ることができる。
【００３２】
なお、上述の実施の形態１では、加熱火力レベルの調整が行われＬＥＤ５ａの点灯状態が変化しなかったときに、報知音発生手段９により報知音を発生させて知らせる場合を示したが、加熱火力レベルの調整があった場合は全て報知音を発生させるようにしてもよく、ＬＥＤ５ａの点灯状態に変化があった場合と無かった場合とで異なる報知音を発生させるようにしてもよい。また、ＬＥＤ５ａの点灯状態が変化した場合のみ報知音を発生させるようにしてもよい。これらの場合も同様の効果を奏する。
【００３３】
実施の形態２．
本発明に係る実施の形態２は、実施の形態１に係る誘導加熱調理器において、報知音発生手段９を省略するとともに、制御手段６にＬＥＤ５ａの一定消灯時間を計時するタイマ（図示せず）を設け、加熱火力レベルの調整設定が行われＬＥＤ５ａの点灯状態が変化しなかったときに、点灯していたＬＥＤ５ａを一旦消灯し、一定消灯時間が経過した後同じＬＥＤ５ａを点灯させるようにしたものである。
【００３４】
このように構成したことにより、実施の形態１とほぼ同じ作用および効果が得られるとともに、火力強弱キー４ｂ（火力調整入力手段４ｂ）および微調整強弱キー４ｃ（火力微調整入力手段４ｃ）の入力があって加熱火力レベルの入力（加熱出力データの変更）があった場合、図５に示すＬＥＤ５ａの点灯状態更新処理を行う（図５のＳ６１〜Ｓ６６）。つまり、制御手段６は、変更された加熱出力データが含まれるグループがいずれの表示火力のＬＥＤ５ａに対応するかを判定し（図５のＳ６１）、点灯しているＬＥＤ５ａと判定したＬＥＤ５ａとが同一でない場合は、加熱火力表示手段５により点灯されているＬＥＤ５ａを一旦消灯し（Ｓ６２）、変更された加熱出力データが含まれるグループに対応する表示火力のＬＥＤ５ａを点灯させる（Ｓ６３）。また、点灯しているＬＥＤ５ａと判定したＬＥＤ５ａとが同一の場合は、加熱火力表示手段５により点灯しているＬＥＤ５ａを一旦消灯させ（Ｓ６４）、タイマを駆動させて一定消灯時間を計時を開始する（Ｓ６５）。一定消灯時間が経過すると、加熱火力表示手段５により同じＬＥＤ５ａを再点灯させ（Ｓ６６）、細かい加熱火力レベルの調整設定が行われたことを知らせる。
【００３５】
このように、加熱火力レベルが変更してもＬＥＤ５ａの点灯状態を変更させる必要がない場合は、ＬＥＤ５ａを一定消灯時間消灯させるようにしたので、ＬＥＤ５ａの表示を一時的に変化させることができ、この変化により使用者は加熱火力レベルの変更を容易に確認することができ、使い勝手のよい誘導加熱調理器を得ることができる。
【００３６】
実施の形態３．
図６は本発明の実施の形態３の外観を示す斜視図、図７はその要部の構成を示すブロック図である。図において、１０は実施の形態１に係る誘導加熱調理器の本体、１１は本体１０の上面に載置され、被加熱物（図示せず）が収容される鍋で、本体１０の前面および上面には操作パネル８が設けられており、本体１０の前面には、誘導加熱調理を開始または停止する加熱キー４ａと、誘導加熱手段２の加熱火力レベルを調整設定する火力調整つまみ４ｄと、設定した加熱火力レベルを数値により表示する数値表示部５ｂとが設けられ、本体１０の上面には、火力調整つまみ４ｄにより調整設定可能な複数の加熱火力レベルをいくつかのグループに分けて各グループに対応したＬＥＤ５ａを有し、設定した加熱火力レベルを点灯したＬＥＤ５ａの数により表示するＬＥＤ表示部５ｃが設けられている。そして、加熱キー４ａおよび火力調整つまみ４ｄの信号は操作部７の操作入力手段４を介して制御手段６に出力され、ＬＥＤ表示部５ｃのＬＥＤ５ａの点灯または消灯および数値表示部５ｂの数値表示は操作部７の加熱火力表示手段５によって実行される。
【００３７】
また、火力調整つまみ４ｄは、ロータリエンコーダにより構成されており、火力調整つまみ４ｄを左右に回すことにより２相の信号波形が操作入力手段４に出力される。例えば火力調整つまみ４ｄを右方向（加熱火力大）に回転させると、図８（ａ）に示すように、Ａ相信号が立ち上がりでＢ相信号が０の波形を出力し、操作入力手段４は０の波形を受け取るごとに加熱火力レベルの調整カウントを「＋１」する。また、火力調整つまみ４ｄを左方向（加熱火力小）に回転させると、図８（ｂ）に示すように、Ａ相信号が立ち上がりでＢ相信号が１の波形を出力し、操作入力手段４は１の波形を受け取るごとに加熱火力レベルの調整カウントを「−１」する。そして、操作入力手段４は調整カウントの結果を制御手段６に出力する。
【００３８】
なお、ＬＥＤ表示部５ｃによるＬＥＤ５ａの点灯数は、図９に示すように、設定された加熱火力レベルに基づいて決定され、例えば設定された加熱火力レベルが１００Ｗ〜５５０Ｗの場合はＬＥＤ５ａの点灯数は１個となり、設定された加熱火力レベルが１５５０Ｗ〜２０５０Ｗの場合はＬＥＤ５ａの点灯数は４個となる。
また、この実施の形態３では、実施の形態１に係る火力調整入力手段４ｂおよび火力微調整入力手段４ｃは省略されている。
【００３９】
次に、この実施の形態３の作用について、図１０のフローチャートを用いて説明する。
まず、実施の形態１で説明した場合と同様に誘導加熱調理器の本体１０の上面に鍋１１を載置し、本体１０の前面側に設けられた操作パネル８の加熱キー４ａを押すと、その信号が操作入力手段４を介して制御手段６に入力されて誘導加熱ＯＮ状態となり、制御手段６は、誘導加熱調理を開始する。調理最初は加熱火力レベルが調整設定されていないため誘導加熱手段２への加熱出力データを自動的に１３００Ｗに設定し、このデータと入力電力検出手段３による入力電力とに基づいて誘導加熱手段２のインバータ駆動手段２ｃの制御を開始して加熱コイル２ｄにより誘導加熱を行う。同時に、加熱火力表示手段５によって加熱出力データ１３００Ｗに対応する数値、「１３００」が数値表示器５ｂに表示されるとともに、加熱出力データ１３００Ｗが含まれるグループに対応する個数のＬＥＤ５ａがＬＥＤ表示部５ｃに点灯される。
【００４０】
誘導加熱中、制御手段６は、誘導加熱調理が終了状態であるか、つまり加熱出力データが０Ｗであるかを判定し（図１０のＳ７１）、誘導加熱調理中であれば加熱出力データは０Ｗではないので、誘導加熱の停止、つまり加熱キー４ａの押下の有無を判定する（Ｓ７２）。加熱キー４ａが押されていない場合は、火力調整つまみ４ｄが操作されている、つまり操作入力手段４からの火力調整つまみ４ｄの回転による加熱火力レベルの調整カウント結果を判定する（Ｓ７３〜Ｓ７６）。
【００４１】
加熱火力レベルの調整カウントが所定最大値（例えば＋３）を越えたときは（Ｓ７３）、火力調整つまみ４ｄが加熱火力レベルを大きくする方向（右方向）に速く回されて、加熱火力レベルを大きく増やす操作が行われたこととなり、設定されている加熱出力データが２０００Ｗを越えているかを判定する（Ｓ７７）。越えていれば加熱出力データを最大火力２５００Ｗに設定し（Ｓ７８）、２０００Ｗ以下であれば加熱出力データを５００Ｗ増加させる（Ｓ７９）。また、加熱火力レベルの調整カウントが所定最小値（例えば−３）未満のときは（Ｓ７４）、火力調整つまみ４ｄが加熱火力レベルを小さくする方向（左方向）に速く回されて、加熱火力レベルを大きく減らす操作が行われたこととなり、設定されている加熱出力データが６００Ｗ未満であるかを判定する（Ｓ８０）。６００Ｗ未満であれば加熱出力データを最小火力１００Ｗに設定し（Ｓ８１）、６００Ｗ以上であれば加熱出力データを５００Ｗ減少させる（Ｓ８２）。
【００４２】
さらに、加熱火力レベルの調整カウントが第１の所定範囲（例えば＋１〜＋３）内のときは（Ｓ７５）、火力調整つまみ４ｄが加熱火力レベルを大きくする方向（右方向）にゆっくりと回されて、加熱火力レベルを少し増やす操作が行われたこととなり、設定されている加熱出力データが２４００Ｗを越えているかを判定する（Ｓ８３）。越えていれば加熱出力データを最大火力２５００Ｗに設定し（Ｓ８４）、２４００Ｗ以下であれば加熱出力データを１００Ｗ増加させる（Ｓ８５）。また、加熱火力レベルの調整カウントが第２の所定範囲（例えば−３〜−１）内のときは（Ｓ７６）、火力調整つまみ４ｄが加熱火力レベルを小さくする方向（左方向）にゆっくりと回されて、加熱火力レベルを少し減らす操作が行われたこととなり、設定されている加熱出力データが２００Ｗ未満であるかを判定する（Ｓ８６）。２００Ｗ未満であれば加熱出力データを最小火力１００Ｗに設定し（Ｓ８７）、２００Ｗ以上であれば加熱出力データを１００Ｗ減少させる（Ｓ８８）。
【００４３】
そして、これらの加熱火力レベルの入力（加熱出力データの変更）があった場合、制御手段６は、加熱火力表示手段５により設定された加熱出力データに対応する数値を数値表示器５ｂに表示させるとともに（Ｓ８９）、図４に示すＬＥＤ５ａの点灯状態更新処理を行って設定された加熱出力データが含まれるグループに対応する個数のＬＥＤ５ａをＬＥＤ表示部５ｃに点灯させる（図１０のＳ９０および図４のＳ５１〜Ｓ５４）。
【００４４】
ついで、火力調整つまみ４ｄが操作されていないとき（図１０のＳ７３〜Ｓ７６）、あるいは火力調整つまみ４ｄが操作されてそれぞれの処理を行った後（Ｓ７７〜Ｓ９０）、制御手段６は、入力電力検出手段３により検出された入力電力を取り込み（Ｓ９１）、設定されている加熱出力データと入力電圧とを比較する（Ｓ９２）。なお、入力電圧は、制御手段６の演算手段６ｂにより加熱火力レベルに換算され、換算結果と加熱出力データとを比較する。そして、入力電圧（換算結果）が加熱出力データより大きい場合はインバータ駆動手段２ｃを火力減に制御し（Ｓ９３）、入力電圧（換算結果）が加熱出力データより小さい場合はインバータ駆動手段２ｃを火力増に制御し（Ｓ９４）、入力電圧（換算結果）と加熱出力データが等しい場合はインバータ駆動手段２ｃを火力変更なく制御し、鍋１１（被加熱物）を誘導加熱する。
【００４５】
そして、制御手段６は、誘導加熱中であるので（Ｓ７１）、加熱キー４ａの押下の有無を判定し（Ｓ７２）、押された場合は、誘導加熱ＯＦＦ状態となり、誘導加熱手段２の加熱出力データを０Ｗ、つまり誘導加熱停止状態とし（Ｓ９５）、加熱火力表示手段５により数値表示器５ｂに表示されている数値を「０」と表示するとともに（Ｓ９６）、ＬＥＤ表示部５ｃのＬＥＤ５ａを消灯させ（Ｓ９７）、インバータ駆動手段２ｃの制御を停止して（Ｓ９８）、誘導加熱調理を終了させる。
【００４６】
また、誘導加熱調理終了後（Ｓ７１）、再び加熱キー４ａが押されると（Ｓ９９）、制御手段６は、加熱出力データを１３００Ｗに設定し（Ｓ１００）、このデータと入力電力検出手段３による入力電力とに基づいて誘導加熱手段２のインバータ駆動手段２ｃを制御を開始して（Ｓ１０１）、加熱コイル２ｄにより誘導加熱を行う。同時に加熱火力表示手段５によって数値表示器５ｂに「１３００」の数値が表示され（Ｓ８９）、加熱出力データ１３００Ｗが含まれるグループに対応する個数のＬＥＤ５ａがＬＥＤ表示部５ｃを点灯される（Ｓ９０）。そして、鍋１１（被加熱物）の誘導加熱を行う（Ｓ９１・・・）。
【００４７】
このように、加熱火力レベルを細かく調整設定する火力調整つまみ４ｄを設け、この火力調整つまみ４ｄの操作により設定される複数の加熱火力レベルをいくつかのグループに分けて各グループにＬＥＤ表示部５ｃの各ＬＥＤ５ａをそれぞれ対応させて表示させるとともに、数値表示器５ｂにより数値で加熱火力レベルを表示させるようにしたので、誘導加熱手段２を所望の加熱火力レベルに素早く容易に細かく調整設定することができ、最適な誘導加熱調理を行うことができる誘導加熱調理器が得られる。また、火力調整つまみ４ｄにより調整設定されるグループに分けた複数の加熱火力レベルを少数のＬＥＤ５ａにそれぞれ対応させて点灯表示させることができるので、ＬＥＤ５ａの数を増やしたり操作部７および操作パネル８等を大型化させるおそれがなく、コストアップを防ぐことができる。さらに、ＬＥＤ５ａの点灯数でおおよその加熱火力レベルを直感的に把握できるとともに、数値により正確な加熱火力レベルを確認することができるため、使い勝手のよい誘導加熱調理器を得ることができる。
【００４８】
なお、上述の実施の形態３では、実施の形態１に本発明を実施した場合を説明したが、実施の形態２にも本発明を実施することができる。この場合も同様の効果を奏する。
【００４９】
実施の形態４．
図１１は本発明の実施の形態４の外観を示す斜視図、図１２はその要部の構成を示すブロック図である。図において、４ｅは実施の形態１に係る誘導加熱調理器の本体１０の前面の操作パネル８に設けられ、鍋（被加熱物）を誘導加熱する加熱温度レベルを調整設定する温度調整つまみで、実施の形態３に係る火力調整つまみ４ｄと同様にロータリエンコーダにより構成されており、左右に回すことにより２相の信号波形を操作入力手段４に出力し、操作入力手段４は受け取った波形に基づいて加熱温度レベルの調整カウントを演算し、制御手段６に調整カウント結果を出力する。また、温度調整つまみ４ｅにより調整設定可能な複数の加熱温度レベルは、いくつかのグループに分けられて、グループ毎に後述するＬＥＤ表示部のＬＥＤがそれぞれ対応しており、温度調整つまみ４ｅにより調整設定された加熱温度レベルが含まれるグループに対応するＬＥＤが表示される。
【００５０】
１２は本体１０に設けられた操作部７の加熱温度表示手段で、本体１０の上面に設けられ点灯したＬＥＤ１２ａの数により設定した加熱温度レベルを表示するＬＥＤ表示部１２ｃと、本体１０の前面に設けられ数値により設定した加熱温度レベルを表示する数値表示部１２ｂとを備えている。１３は鍋１１の温度を感熱素子１３ａにより検知する温度検知手段である。なお、ＬＥＤ表示部１２ｃによるＬＥＤ１２ａの点灯数は、図１３に示すように、設定された加熱温度レベルに基づいて決定され、例えば設定された加熱温度レベルが１５５℃〜１６５℃の場合はＬＥＤ１２ａの点灯数は１個となり、設定された加熱温度レベルが１８５℃〜１９５℃の場合はＬＥＤ１２ａの点灯数は４個となる。また、この実施の形態４では、実施の形態３の場合と同様に実施の形態１に係る火力調整入力手段４ｂおよび火力微調整入力手段４ｃは省略されている。
【００５１】
次に、この実施の形態４の作用について、図１４および図１５のフローチャートを用いて説明する。
まず、実施の形態１で説明した場合と同様に誘導加熱調理器の本体１０の上面に鍋１１を載置し、本体１０の前面側に設けられた操作パネル８の加熱キー４ａを押すと、その信号が操作入力手段４を介して制御手段６に入力されて誘導加熱ＯＮ状態となり、制御手段６は、誘導加熱調理を開始する。調理最初は加熱温度レベルが調整設定されていないため加熱温度データを自動的に１７５℃に設定し、このデータおよび温度検知手段１３からの鍋１１の検知温度に基づいて誘導加熱手段２のインバータ駆動手段２ｃの制御を開始して加熱コイル２ｄにより誘導加熱を行う。同時に加熱温度表示手段１２によって加熱温度データ１７５℃に対応する数値、「１７５」が数値表示器１２ｂに表示されるとともに、加熱温度データ１７５℃が含まれるグループに対応する個数のＬＥＤ１２ａがＬＥＤ表示部１２ｃに点灯される。
【００５２】
誘導加熱中、制御手段６は、誘導加熱調理が終了状態であるか、つまり加熱温度データが０℃であるかを判定し（図１４のＳ１１１）、誘導加熱調理中であれば加熱温度データは０℃ではないので、誘導加熱の停止、つまり加熱キー４ａの押下の有無を判定する（Ｓ１１２）。加熱キー４ａが押されていない場合は、温度調整つまみ４ｅが操作されている、つまり操作入力手段４からの温度調整つまみ４ｄの回転による加熱温度レベルの調整カウント結果を判定する（Ｓ１１３〜Ｓ１１６）。
【００５３】
加熱温度レベルの調整カウントが所定最大値（例えば＋３）を越えたときは（Ｓ１１３）、温度調整つまみ４ｅが加熱温度レベルを高くする方向（右方向）に速く回されて、加熱温度レベルを大きく上げる操作が行われたこととなり、設定されている加熱温度データが１９０℃を越えているかを判定する（Ｓ１１７）。越えていれば加熱温度データを最高温度２００℃に設定し（Ｓ１１８）、１９０℃以下であれば加熱温度データを１０℃上げる（Ｓ１１９）。また、加熱温度レベルの調整カウントが所定最小値（例えば−３）未満のときは（Ｓ１１４）、温度調整つまみ４ｅが加熱温度レベルを低くする方向（左方向）に速く回されて、加熱温度レベルを大きく下げる操作が行われたこととなり、設定されている加熱温度データが１６０℃未満であるかを判定する（Ｓ１２０）。１６０℃未満であれば加熱温度データを最低温度１５０℃に設定し（Ｓ１２１）、１６０℃以上であれば加熱温度データを１０℃下げる（Ｓ１２２）。
【００５４】
さらに、加熱温度レベルの調整カウントが第１の所定範囲（例えば＋１〜＋３）内のときは（Ｓ１１５）、温度調整つまみ４ｅが加熱温度レベルを高くする方向（右方向）にゆっくりと回されて、加熱温度レベルを少し上げる操作が行われたこととなり、設定されている加熱温度データが１９８℃を越えているかを判定する（Ｓ１２３）。１９８℃を越えていれば加熱温度データを最高温度２００℃に設定し（Ｓ１２４）、１９８℃以下であれば加熱温度データを２℃上げる（Ｓ１２５）。また、加熱温度レベルの調整カウントが第２の所定範囲（例えば−３〜−１）内のときは（Ｓ１１６）、温度調整つまみ４ｅが加熱温度レベルを低くする方向（左方向）にゆっくりと回されて、加熱温度レベルを少し下げる操作が行われたこととなり、設定されている加熱温度データが１５２℃未満であるかを判定する（Ｓ１２６）。１５２℃未満であれば加熱温度データを最低温度１５０℃に設定し（Ｓ１２７）、１５２℃以上であれば加熱温度データを２度下げる（Ｓ１２８）。
【００５５】
そして、これらの加熱温度レベルの入力（加熱温度データの変更）があった場合、制御手段６は、加熱温度表示手段１２により設定された加熱温度データに対応する数値を数値表示器１２ｂに表示させるとともに（Ｓ１２９）、図１５に示すＬＥＤ１２ａの点灯状態更新処理を行って設定された加熱温度データが含まれるグループに対応する個数のＬＥＤ１２ａをＬＥＤ表示部１２ｃに点灯させる（図１４のＳ１３０および図１５のＳ１５１〜Ｓ１５３）。
つまり、制御手段６は、変更された加熱温度データが含まれるグループがいずれのＬＥＤ１２ａであり、そのＬＥＤ１２ａを含む数のＬＥＤ１２ａの点灯状態がＬＥＤ表示部１２ｃのＬＥＤ１２ａの点灯状態と整合がとれているかを判定し（図１５のＳ１５１）、整合がとれていない場合は、加熱温度表示手段１２により点灯されているＬＥＤ１２ａを一旦消灯するとともに、報知音発生手段９により報知音を発生する（Ｓ１５２）。そして、変更された加熱温度データが含まれるグループに対応する個数のＬＥＤ１２ａをＬＥＤ表示部１２ｃに点灯させる（Ｓ１５３）。また、整合がとれている場合は、点灯しているＬＥＤ１２ａの表示を変える必要がないため、ＬＥＤ１２ａの点灯状態を変更することなく誘導加熱を行う。
【００５６】
ついで、温度調整つまみ４ｅが操作されていないとき（図１４のＳ１１３〜Ｓ１１６）、あるいは温度調整つまみ４ｅが操作されてそれぞれの処理を行った後（Ｓ１１７〜Ｓ１３０）、制御手段６は、温度検知手段１３（感熱素子１３ａ）により検知された鍋１１の温度を取り込み（Ｓ１３１）、設定されている加熱温度データと検知温度とを比較する（Ｓ１３２）。検知温度が加熱温度データより低く前回の検知温度より高い場合は（Ｓ１３２，Ｓ１３３）、加熱温度レベルが上昇する方向に制御されているため、インバータ駆動手段２ｃを火力変更なく制御し、検知温度が加熱温度データより低く前回の検知温度以下の場合は（Ｓ１３２，Ｓ１３３）、加熱温度レベルが下降する方向に制御されているため、インバータ駆動手段２ｃを火力増に制御する（Ｓ１３４）。また、検知温度が加熱温度データより高く前回の検知温度より低い場合は（Ｓ１３２，Ｓ１３５）、加熱温度レベルが下降する方向に制御されているため、インバータ駆動手段２ｃを火力変更なく制御し、検知温度が加熱温度データより高く前回の検知温度以上の場合は（Ｓ１３２，Ｓ１３５）、加熱温度レベルが上昇する方向に制御されているため、インバータ駆動手段２ｃを火力減に制御する（Ｓ１３６）。さらに、検知温度が加熱温度データと等しい場合はインバータ駆動手段２ｃを火力変更なく制御し、鍋１１（被加熱物）を誘導加熱する。
【００５７】
そして、制御手段６は、誘導加熱中であるので（Ｓ１１１）、加熱キー４ａの押下の有無を判定し（Ｓ１１２）、押された場合は、誘導加熱ＯＦＦ状態となり、加熱調理データを０℃、つまり誘導加熱停止状態とし（Ｓ１３７）、加熱温度表示手段１２により数値表示器１２ｂに表示されている数値を「０」と表示するとともに、ＬＥＤ表示部１２ｃのＬＥＤ１２ａを消灯させ（Ｓ１３８）、インバータ駆動手段２ｃの制御を停止して（Ｓ１３９）、誘導加熱調理を終了させる。
【００５８】
また、誘導加熱調理終了後（Ｓ１１１）、再び加熱キー４ａが押されると（Ｓ１４０）、制御手段６は、加熱温度データを１７５℃に設定し（Ｓ１４１）、このデータおよび温度検知手段１３からの鍋の検知温度に基づいて誘導加熱手段２のインバータ駆動手段２ｃを制御を開始して（Ｓ１４２）、加熱コイル２ｄにより誘導加熱を行う。同時に加熱温度表示手段１２によって数値表示器１２ｂに「１７５」の数値が表示され（Ｓ１２９）、加熱温度データ１７５℃が含まれるグループに対応する個数のＬＥＤ１２ａがＬＥＤ表示部１２ｃに点灯される（Ｓ１３０）。そして、鍋１１（被加熱物）の誘導加熱を行う（Ｓ１３１・・・）。
【００５９】
このように、加熱温度レベルを細かく調整設定する温度調整つまみ４ｅを設け、この温度調整つまみ４ｅの操作により設定された複数の加熱温度レベルをいくつかのグループに分けて各グループにＬＥＤ表示部１２ｃの各ＬＥＤ１２ａをそれぞれ対応させて表示させるとともに、数値表示器１２ｂにより数値で加熱温度レベルを表示させるようにしたので、鍋１１の温度を所望の加熱温度レベルに素早く容易に細かく調整設定することができ、最適な誘導加熱調理を行うことができる誘導加熱調理器が得られる。また、温度調整つまみ４ｅにより調整設定されるグループに分けた複数の加熱温度レベルを少数のＬＥＤ１２ａにそれぞれ対応させて点灯表示させることができるので、ＬＥＤ１２ａの数を増やしたり操作部７および操作パネル８等を大型化させるおそれがなく、コストアップを防ぐことができる。さらに、ＬＥＤ１２ａの点灯数でおおよその加熱温度レベルを直感的に把握できるとともに、数値により正確な加熱温度レベルを確認することができるため、使い勝手のよい誘導加熱調理器を得ることができる。また、ＬＥＤ１２ａの点灯状態が変化する場合には報知音発生手段９による報知音によって知らせるため、使用者は加熱温度レベルの変更を容易に把握することができるとともに、加熱温度レベルの設定に注意を促す効果も得ることができる。
【００６０】
なお、上述の実施の形態４では、実施の形態１に本発明を実施した場合を説明したが、実施の形態２にも本発明を実施することができる。この場合も同様の効果を奏する。
また、上述の実施の形態４では、温度調整つまみ４ｅにより加熱温度レベルを設定する場合を説明したが、実施の形態１に係る火力調整入力手段４ｂおよび火力微調整入力手段４ｃに相当する温度調整入力手段および温度微調整入力手段を設けて加熱温度レベルを設定するようにしてもよい。この場合も同様の効果を奏する。
さらに、上述の実施の形態４では、加熱温度レベルの設定が行われＬＥＤ１２ａの点灯状態が変化したときに、報知音発生手段９により報知音を発生させて知らせる場合を示したが、ＬＥＤ１２ａの点灯状態に関係なく加熱温度レベルの設定が行われたときは全て報知音を発生させるようにしてもよく、ＬＥＤ１２ａの点灯数に変化があった場合と無かった場合とで異なる報知音を発生させるようにしてもよい。また、加熱温度レベルの設定が行われＬＥＤ１２ａの点灯状態が変化しなかったときに、報知音を発生するようにしてもよい。これらの場合も同様の効果を奏する。
【００６１】
【発明の効果】
以上のように本発明に係る誘導加熱調理器は、鍋を誘導加熱する誘導加熱手段の設定可能な複数の加熱火力レベルの１つを設定する火力調整入力手段と、各加熱火力レベルに対して１個あるいは複数個の表示器を表示する表示手段と、報知音を発生する報知手段と、入力電力に基づいて設定された加熱火力レベルに誘導加熱手段を制御し、設定された加熱火力レベルに対応した表示器を表示させる制御手段とを備えてなり、火力調整手段による設定可能な加熱火力レベルを含む複数の加熱火力レベルが設定可能で、いずれかの１つを設定する火力微調整入力手段を設けるとともに、火力微調整手段により設定される複数の加熱火力レベルの表示を、火力調整入力手段により設定可能な加熱火力レベルの各表示器にグループ毎に対応させて表示可能とし、制御手段は、火力調整入力手段および火力微調整入力手段により設定された加熱火力レベルと入力電力とに基づいて誘導加熱手段を制御するとともに、設定された加熱火力レベルが含まれるグループに対応した表示器を表示させるものであり、制御手段は、火力調整入力手段、火力微調整入力手段により加熱火力レベルの設定が行われ、その設定により表示器による表示が前回の表示と変化があった場合と無かった場合とで、異なる報知音を報知手段から発生させるので、火力微調整入力手段により、誘導加熱手段を所望の加熱火力レベルに細かく調整設定することができ、最適な誘導加熱調理を行うことができる誘導加熱調理器が得られる。また、火力微調整入力手段により調整設定される複数の加熱火力レベルも火力調整入力手段で調整設定される加熱火力レベルに対応する表示器により表示させることができるため、表示器の数を増やしたり誘導加熱調理器本体などを大型化させるおそれがなく、コストアップを防ぐことができる。さらに、おおよその加熱火力レベルを少数の表示器で直感的に把握することができ、使い勝手のよい誘導加熱調理器を得ることができる。また、報知音により使用者は加熱火力レベルの変更を容易に確認することができ、使い勝手のよい誘導加熱調理器を得ることができる。
【００６２】
本発明に係る誘導加熱調理器は、鍋を誘導加熱する誘導加熱手段の設定可能な複数の加熱温度レベルの１つを設定する温度調整入力手段と、複数の加熱温度レベルをいくつかのグループに分割し、分割された加熱温度レベルのグループに対応して１個あるいは複数個の表示器を表示する表示手段と、報知音を発生する報知手段と、鍋の温度を検知する鍋温度検知手段と、鍋温度検知手段の検知温度に基づいて温度調整入力手段により設定された加熱温度レベルに誘導加熱手段を制御するとともに、設定された加熱温度レベルが含まれるグループに対応した表示器を表示させる制御手段とを備え、制御手段は、温度調整入力手段により加熱温度レベルの設定が行われ、その設定により表示器による表示が前回の表示と変化があった場合と無かった場合とで、異なる報知音を報知手段から発生させるものであるので、温度調整入力手段により誘導加熱手段を所望の加熱温度レベルに素早く容易に細かく調整設定することができ、最適な誘導加熱調理を行うことができる誘導加熱調理器が得られる。また、複数の加熱温度レベルをグループに分割し、分割したグループ毎に表示器を設けるようにしたので、少数の表示器で設定した加熱温度レベルを表示することができ、コストアップを防ぐことができる。さらに、おおよその加熱温度レベルを少数の表示器で直感的に把握することができ、使い勝手のよい誘導加熱調理器を得ることができる。また、報知音により使用者は加熱温度レベルの変更を容易に確認することができ、使い勝手のよい誘導加熱調理器を得ることができる。
【００６３】
本発明に係る誘導加熱調理器は、鍋を誘導加熱する誘導加熱手段の設定可能な複数の加熱火力レベルの１つを設定する火力調整入力手段と、各加熱火力レベルに対して１個あるいは複数個の表示器を表示する表示手段と、入力電力に基づいて設定された加熱火力レベルに誘導加熱手段を制御し、設定された加熱火力レベルに対応した表示器を表示させる制御手段とを備えてなり、火力調整手段による設定可能な加熱火力レベルを含む複数の加熱火力レベルが設定可能で、いずれかの１つを設定する火力微調整入力手段を設けるとともに、火力微調整手段により設定される複数の加熱火力レベルの表示を、火力調整入力手段により設定可能な加熱火力レベルの各表示器にグループ毎に対応させて表示可能とし、制御手段は、火力調整入力手段および火力微調整入力手段により設定された加熱火力レベルと入力電力とに基づいて誘導加熱手段を制御するとともに、設定された加熱火力レベルが含まれるグループに対応した表示器を表示させるものであり、制御手段は、火力調整入力手段、火力微調整入力手段により加熱火力レベルの設定が行われ、かつ表示器による表示が前回の表示と変更がないときに、表示器の表示を一定消灯時間消灯させた後、再点灯させるものであるので、表示器の表示状態の一時的な変化により、使用者は加熱火力レベルの変更を容易に確認することができ、使い勝手のよい誘導加熱調理器を得ることができる。
【００６４】
本発明に係る誘導加熱調理器は、  鍋を誘導加熱する誘導加熱手段の設定可能な複数の加熱温度レベルの１つを設定する温度調整入力手段と、複数の加熱温度レベルをいくつかのグループに分割し、分割された加熱温度レベルのグループに対応して１個あるいは複数個の表示器を表示する表示手段と、鍋の温度を検知する鍋温度検知手段と、鍋温度検知手段の検知温度に基づいて温度調整入力手段により設定された加熱温度レベルに誘導加熱手段を制御するとともに、設定された加熱温度レベルが含まれるグループに対応した表示器を表示させる制御手段とを備え、制御手段は、温度調整入力手段により加熱温度レベルの設定が行われ、かつ表示器による表示が前回の表示と変更がないときに、表示器の表示を一定消灯時間消灯させた後、再点灯させるものであるので、表示器の表示状態の一時的な変化により、使用者は加熱温度レベルの変更を容易に確認することができ、使い勝手のよい誘導加熱調理器を得ることができる。
【００６５】
本発明に係る誘導加熱調理器は、表示手段に、加熱火力レベルまたは加熱温度レベルを数値で表示する数値表示器を設けたので、より正確な加熱火力レベルまたは加熱温度レベルを容易に確認することができ、使い勝手のよい誘導加熱調理器を得ることができる。
【００６６】
本発明に係る誘導加熱調理器は、表示器を発光素子により構成したので、加熱火力レベルまたは加熱温度レベルを容易に確認することができる誘導加熱調理器を得ることができる。
【図面の簡単な説明】
【図１】  本発明の実施の形態１の要部の構成を示すブロック図である。
【図２】  本発明の実施の形態１に係る操作パネルの正面図である。
【図３】  本発明の実施の形態１の作用を説明するフローチャートである。
【図４】  本発明の実施の形態１の作用を説明するフローチャートである。
【図５】  本発明の実施の形態２の作用を説明するフローチャートである。
【図６】  本発明の実施の形態３の外観を示す斜視図である。
【図７】  図６の要部の構成を示すブロック図である。
【図８】  本発明の実施の形態３に係る火力調整つまみの出力信号波形を示す図である。
【図９】  本発明の実施の形態３の設定加熱火力とＬＥＤ点灯数との関係を示す図である。
【図１０】  本発明の実施の形態３の作用を説明するフローチャートである。
【図１１】  本発明の実施の形態４の外観を示す斜視図である。
【図１２】  図１１の要部の構成を示すブロック図である。
【図１３】  本発明の実施の形態４の設定加熱温度とＬＥＤ点灯数との関係を示す図である。
【図１４】  本発明の実施の形態４の作用を説明するフローチャートである。
【図１５】  本発明の実施の形態４の作用を説明するフローチャートである。
【図１６】  従来の誘導加熱調理器の要部の構成を示すブロック図である。
【図１７】  従来の誘導加熱調理器に係る操作パネルの正面図である。
【図１８】  従来の誘導加熱調理器の作用を説明するフローチャートである。
【符号の説明】
２  誘導加熱手段、４ｂ  火力調整入力手段、４ｃ  火力微調整入力手段、４ｄ  火力調整つまみ、４ｅ  温度調整つまみ、５ａ，１２ａ  ＬＥＤ、５ｂ，１２ｂ  数値表示部、６  制御手段、９  報知音発生手段、１１  鍋、１３  温度検知手段。
【図１】
0003978650.tif 000004
【図２】
0003978650.tif 000005
【図３】
0003978650.tif 000006
【図４】
0003978650.tif 000007
【図５】
0003978650.tif 000008
【図６】
0003978650.tif 000009
【図７】
0003978650.tif 000010
【図８】
0003978650.tif 000011
【図９】
0003978650.tif 000012
【図１０】
0003978650.tif 000013
【図１１】
0003978650.tif 000014
【図１２】
0003978650.tif 000015
【図１３】
0003978650.tif 000016
【図１４】
0003978650.tif 000017
【図１５】
0003978650.tif 000018
【図１６】
0003978650.tif 000019
【図１７】
0003978650.tif 000020
【図１８】
0003978650.tif 000021